(57)【要約】【課題】光触媒を用いた眼鏡フレームでは、肌と接した眼鏡のフレーム部分には光が届かず光触媒作用が起きないために、清浄効果、抗菌効果、抗ウイルス効果、抗カビ効果、抗花粉効果、防臭効果は望めない。【解決手段】少なくとも顔の肌と接触する面に光触媒部が形成され、前記光触媒部周辺は光透過性を有する部材から眼鏡フレームを製造する。また、光触媒は酸化チタン又はチタンアパタイトであり、肌に接触する面から光触媒部と光透過性バリア層と光透過性部材の順序とする。【選択図】図１
2014164024.tif 000002
【特許請求の範囲】
【請求項１】
少なくとも顔の肌と接触する面に光触媒部が形成され、前記光触媒部周辺は光透過性を有する部材からなることを特徴とする眼鏡フレーム。
【請求項２】
請求項１記載の眼鏡フレームにおいて、光触媒は酸化チタンであり、肌に接触する面から酸化チタン層と光透過性バリア層と光透過性部材の順序からなることを特徴とする眼鏡フレーム。
【請求項３】
請求項１記載の眼鏡フレームにおいて、光触媒はチタンアパタイトからなることを特徴とする眼鏡フレーム。
【発明の詳細な説明】
【技術分野】
【０００１】
本発明は光触媒を用いて抗菌効果、抗ウイルス効果、防臭効果を備えた眼鏡フレームに関するものである。
【背景技術】
【０００２】
眼鏡フレームに光触媒をコーティングしたり、酸化チタン単体で形成した薄板や酸化チタンを含んだ合金で形成した薄板を使用したり、合成樹脂に光触媒を混入させた素材を貼着したりして清浄効果、抗菌効果、抗ウイルス効果、抗カビ効果、抗花粉効果、防臭効果が得られる眼鏡フレームが製造販売されている。
【０００３】
しかし、光触媒は紫外線によって触媒効果を発揮するものであり、光が入らなければ触媒効果を発揮しない。その為、肌と接した部分には光が届かず光触媒作用が起きないために、清浄効果、抗菌効果、抗ウイルス効果、抗カビ効果、抗花粉効果、防臭効果は望めないという欠点があった。
【先行技術文献】
【特許文献】
【０００４】
【特許文献１】特開２００３−６６３７９号公報
【特許文献２】特開２０００−５６２７１号公報
【発明の概要】
【発明が解決しようとする課題】
【０００５】
光触媒を用いて、清浄効果、抗菌効果、抗ウイルス効果、防臭効果を備えた眼鏡フレームに関するものであり、光触媒は紫外線によって触媒効果を発揮するものである。光が入らなければ触媒効果を発揮せず、肌と接した部分は光触媒作用が起きないために、清浄効果、抗菌効果、抗ウイルス効果、抗カビ効果、抗花粉効果、防臭効果は望めないという欠点がある。
【課題を解決するための手段】
【０００６】
請求項１の眼鏡フレームは少なくとも顔の肌と接触する面に光触媒部が形成され、前記光触媒部周辺は光透過性を有する部材からなることを特徴とする。従って、顔と接する面の外側から光触媒に光が届き触媒作用が発揮され、清浄効果、抗菌効果、抗ウイルス効果、抗カビ効果、抗花粉効果、防臭効果が発揮される。
眼鏡フレームの少なくとも顔の肌と接触する面に形成された光触媒部と前記光触媒部周辺以外のフレーム部は光触媒がコーティングされていたり、光触媒が含まれている材料でああっても良いし、光触媒が無いものであっても良い。
【０００７】
請求項２の発明は請求項１記載の眼鏡フレームにおいて、光触媒は酸化チタンであり、肌に接触する面から酸化チタン層と光透過性バリア層と光透過性部材の順からなることを特徴とする眼鏡フレームである。
【０００８】
酸化チタンの触媒作用には、眼鏡フレームの光透過性樹脂を劣化させる作用も含まれているため、劣化を防ぐ為に酸化チタンと眼鏡フレームの光透過性樹脂の間にはバリア層が必要となる。このバリア層は酸化チタンの触媒作用を発揮するには光透過性である必要がある。
【０００９】
請求項３の発明は請求項１記載の眼鏡フレームにおいて、光触媒はチタンアパタイトからなることを特徴とする眼鏡フレームである。
チタンアパタイトは、樹脂への劣化作用が少なく、光触媒作用が大きいため眼鏡フレームの長寿命化がはかられ、清浄効果、抗菌効果、抗ウイルス効果、抗カビ効果、抗花粉効果、防臭効果がある。アパタイトは一般に動物の歯や骨の成分であり、カルシウムとリン酸の化合物である。
【発明の効果】
【００１０】
本発明では顔と接する面の外側から光触媒に光が届き触媒作用が発揮され、顔と接する部分に清浄効果、抗菌効果、抗ウイルス効果、抗カビ効果、抗花粉効果、防臭効果が発揮される。
また、光透過性バリア層により、光を通しながら光透過性樹脂への劣化作用を抑え眼鏡フレームの長寿命化が図られる。
【図面の簡単な説明】
【００１１】
【図１】本発明の眼鏡フレームを示す外観図である。
【図２】断面Ａ−Ａを示す図である。
【図３】本発明のパッド２の断面を示す図である。
【発明を実施するための形態】
【００１２】
図１は本発明の眼鏡フレームの外観を示す図であり、１は左テンプル、４は右テンプル、２はパッドである。５で示す斜線部分と３で示す斜線部分は、この眼鏡を顔に装着した時に顔と接触する範囲を示している。
【００１３】
図２は第１図のＡ−Ａ断面を示しており、６は光触媒部であり、７は光透過性バリア層であり、８は光透過性部材である。光透過性バリア層７は耐触媒性を有しており、光触媒により侵されない材質であり、光透過性部材８と光触媒部６の間に存在して光透過性部材８の浸食を防止している。
【００１４】
光触媒部９は、酸化チタンであり薄膜を形成している。この薄膜は酸化チタン単体からなる薄板で形成したり、酸化チタンを含む合金であったり、合成樹脂に酸化チタンを混合して形成する事ができる。
【００１５】
光透過性バリア層として薄膜に形成されたガラスや透明セラミックスや紫外線透過型セラミックスがある。一般的に紫外線透過率は厚みが厚くなるほど低下するので、できる限り薄く形成する必要がある。
【００１６】
酸化チタンにはルチル型とアナターゼ型があり、ルチル型は一般に白色顔料に用いられており、光触媒機能が弱い。アナターゼ型は光触媒機能が強いので、眼鏡に用いるには酸化チタンのアナターゼ型が好ましい。
【００１７】
アナターゼ型の酸化チタンのバンドギャップは３．２ｅＶであることから、３９０ｎｍ以下の紫外線を吸収して、光触媒作用を示す。そのため光透過性部材８の紫外線透過率がポイントとなる。紫外線を透過する材料としては、ケイ素系ポリマー（シリコーン）、ナイロン樹脂、アクリル樹脂、ポリ乳酸などがある。
【００１８】
また、図３に示すように、パッド２の断面は鼻に接触する側から光触媒部９、光透過性バリア層１０、光透過性部材１１の順に形成されている。
【産業上の利用可能性】
【００１９】
顔と接触する部分に光触媒効果を持続することができるので、免疫力が低下した病人や花粉アレルギー患者や眼鏡の臭いを気にする人が使用することにより清浄効果、抗菌効果、抗ウイルス効果、抗カビ効果、抗花粉効果、防臭効果が発揮される。
【符号の説明】
【００２０】
１  左テンプル
２  パッド
３  パッドの顔と接触する領域を斜線で示す。
４  右テンプル
５  左右のテンプルの顔と接触する領域を斜線で示す。
６  光触媒部
７  光透過性バリア部
８  光透過性部材
９  光触媒部
１０  光透過性バリア部
１１  光透過性部材
１２  レンズ
【図１】
2014164024.tif 000003
【図２】
2014164024.tif 000004
【図３】
2014164024.tif 000005